(57)【特許請求の範囲】
【請求項１】
少なくとも１つのセル室を備えた電槽と、周縁部が前記電槽の上部開口縁部に接合される長方形状の蓋体とを備えた鉛蓄電池であって、
前記蓋体には、長辺方向と交差する又は直交する方向に延びる一対の凸部が長辺方向に間隔をあけて対向配置され、一方の凸部の対向面である側壁面には、前記セル室からのガスを外部に排出するための排気口が形成され、
前記排気口を形成した凸部の側壁面が、前記蓋体の外周縁部よりも内方側に位置していることを特徴とする鉛蓄電池。
【請求項２】
前記蓋体の長辺方向両端のそれぞれに、端子を備え、該両端子間に前記一対の凸部が位置していることを特徴とする請求項１に記載の鉛蓄電池。
【請求項３】
前記側壁面に形成された排気口の周囲には、該側壁面から突出し、かつ、周方向で所定間隔を置いて配置される複数の突起が形成されていることを特徴とする請求項１又は２に記載の鉛蓄電池。
【発明の詳細な説明】
【技術分野】
【０００１】
本発明は、特に自動二輪車又は自動車などの車両に搭載する場合に最適な鉛蓄電池に関する。
【背景技術】
【０００２】
上記鉛蓄電池では、セル室で発生したガスを外部に排出するための排気孔が蓋体に備えられる。その蓋体の上面には、長辺方向と平行な側壁面を有した凸部が形成され、その側壁面に前記排気孔が形成されたものが提案されている（例えば、特許文献１参照）。
【先行技術文献】
【特許文献】
【０００３】
【特許文献１】特開２００２−３２４５３７号公報（図１参照）
【発明の概要】
【発明が解決しようとする課題】
【０００４】
通常、鉛蓄電池は、図１０（ａ）に示すように、蓋体１の上面１Ｙが上方を向いた縦向きで車両に搭載されることになるが、自動二輪車などでは、設置スペースに制限を受けることがあり、通常通りの配置ができない場合がある。例えば、図１０（ｂ）に示すように、蓋体１の長辺方向の側面１Ｗが上面となるように鉛蓄電池を後方に倒した傾倒状態で配置しなければならない場合があり、このような配置にすると、次のような不都合があった。なお、図１０（ａ），（ｂ）に示す２，３は端子である。
【０００５】
つまり、前記鉛蓄電池を傾倒状態にすると、排気口４Ｋが形成された側面１Ｗが上方を向いた状態になるため、図１０（ｂ）に示すように上方から矢印の方向に向かって塵などが排気口４Ｋに入り易く、排気口４Ｋを塞いでしまう不都合が生じる可能性があり、改善の余地があった。
【０００６】
そこで、本発明はかかる状況に鑑みてなされたものであって、塵などが排気孔に入り込み難い鉛蓄電池を提供することにある。
【課題を解決するための手段】
【０００７】
即ち、本発明の鉛蓄電池は、前述の課題解決のために、少なくとも１つのセル室を備えた電槽と、周縁部が前記電槽の上部開口縁部に接合される長方形状の蓋体とを備えた鉛蓄電池であって、前記蓋体には、長辺方向と交差する又は直交する方向に延びる一対の凸部が長辺方向に間隔をあけて対向配置され、一方の凸部の対向面である側壁面には、前記セル室からのガスを外部に排出するための排気口が形成され、前記排気口を形成した凸部の側壁面が、前記蓋体の外周縁部よりも内方側に位置していることを特徴としている。
【０００８】
上記構成によれば、蓋体の上面が上方を向くように縦向きで車両に搭載する場合は、従来と同様に排気口を備えた側壁面が上方に向いていないため、排気口に塵などが入り難くすることができる。しかも、蓋体の長辺方向の側面が上面となるように鉛蓄電池を後方に倒した傾倒状態で配置した場合でも、排気口を備えた側壁面が上下方向と異なる方向に形成されていることから、排気口へ塵などが入り難くできる。また、排気口を形成した凸部の側壁面を蓋体の外周縁部よりも内方側に位置させることにより、鉛蓄電池を車両に搭載する場合に、凸部の側壁面が搭載場所の壁面に接触した場合や搭載用の固定治具に接触した場合でも、排気口が塞がれないようにできるとともに、凸部の側壁面と蓋体の外周縁部との間にスペースを形成することができて、このスペースに排気口を覆うための庇などを配置すれば、排気口へ塵などが入り込むことを更に阻止することができる。
【０００９】
また、本発明の鉛蓄電池は、前記蓋体の長辺方向両端のそれぞれに、端子を備え、該両端子間に前記一対の凸部が位置していてもよい。
【００１０】
また、本発明の鉛蓄電池は、前記側壁面に形成された排気口の周囲には、該側壁面から突出し、かつ、周方向で所定間隔を置いて配置される複数の突起が形成されていてもよい。
【発明の効果】
【００１１】
本発明における鉛蓄電池にあっては、排気口を蓋体の長辺方向と異なる方向の側壁面を有した凸部の側壁面に備えることによって、蓋体の上面が上方を向いた縦向きで車両に搭載する場合は、従来同様に塵などが入り難くすることができ、蓋体の長辺方向の側面が上面となるように鉛蓄電池を後方に倒した傾倒状態で配置した場合でも、排気口へ塵などが入り難くできる信頼性の高い鉛蓄電池を提供することができる。さらに、凸部の側壁面と蓋体の外周縁部との間に形成されるスペースを庇などの配置スペースに利用すれば、排気口へ塵などが入り込むことを更に阻止することができ、より一層信頼性の高い鉛蓄電池とすることができる。
【図面の簡単な説明】
【００１２】
【図１】第１の実施形態に係る鉛蓄電池の上蓋を装着した蓋体の平面図である。
【図２】同上蓋を装着する前の蓋体の平面図である。
【図３】（ａ）は同上蓋の上面図、（ｂ）は同上蓋の裏面図である。
【図４】（ａ）は第１の実施形態に係る鉛蓄電池の第２排気孔の周辺を示す斜視図、（ｂ）は（ａ）における排気口付近の正面図である。
【図５】第２の実施形態に係る鉛蓄電池の上蓋を装着した蓋体の平面図である。
【図６】同上蓋を装着する前の蓋体の平面図である。
【図７】（ａ）は同上蓋の上面図、（ｂ）は同上蓋の裏面図である。
【図８】（ａ）は第２の実施形態に係る鉛蓄電池の第２排気孔の周辺を示す斜視図、（ｂ）は（ａ）における排気口付近の正面図である。
【図９】（ａ）〜（ｇ）は第１、第２の実施形態に係る鉛蓄電池の変形例の斜視図である。
【図１０】（ａ）は鉛蓄電池の従来例に係る正面図、（ｂ）は（ａ）の鉛蓄電池を後方に倒した傾倒状態で配置した状態を示す側面図である。
【発明を実施するための形態】
【００１３】
以下、本発明に係る鉛蓄電池の実施形態について、図面を参照しつつ詳細に説明する。
【００１４】
図１、図２及び図３に、本発明の鉛蓄電池の第１の実施形態に係る蓋体１の一例を示し、図１では、後述する上蓋５を装着した状態を示し、図２では、後述する上蓋５を装着する前の状態を示し、図３は後述する上蓋５を示している。この蓋体１は、合成樹脂等によって平面視において長方形状に形成され、複数に仕切られたセル室を備えた電槽（図示せず）の上部開口縁部に接合して該上部開口部を覆うものである。前記蓋体１を備えた鉛蓄電池は、特に自動二輪車や自動車などの車両に搭載する場合に適しているが、その他の目的で使用することもできる。なお、図１、図２及び図３において蓋体１の長辺方向を左右方向とし、長辺方向と直交する短辺方向を前後方向として説明する。
【００１５】
図１及び図２に示すように、前記蓋体１は、一方の長辺側（前方側）に左右一対の端子２，３を長辺方向（左右方向）両端にそれぞれ位置するように備えさせた第１蓋部分１Ａと、この第１蓋部分１Ａの上面よりも高い上面を有し、かつ、第１蓋部分１Ａの他方の長辺側（後方側）の端部から蓋体の他方の長辺側端（後端）までの間に形成された第２蓋部分１Ｂとを備えている。図１及び図２において、左側の端子２が負極端子であり、右側の端子３が正極端子である。そして、図２に示すように、前記第２蓋部分１Ｂの上面に、下方に凹んだ凹部４が形成されている。
【００１６】
前記凹部４は、第２蓋部分１Ｂの上面のうちの第１蓋部分１Ａ側端から短辺方向（前後方向）で半分となる位置よりも少し後側に寄った位置までの広い範囲に渡って形成され、凹部４の後側から他方の長辺側（前後方向後端側）にはフラット面１Ｆが形成されている。
【００１７】
また、前記凹部４は、底部を形成する底壁４Ａと、その底壁４Ａの外周縁から上方に立ち上げられた縦壁４Ｂとを有している。また、該凹部４の内側には、該底壁４Ａの、前記縦壁４Ｂよりも内側に位置する部分に、上方へ突出する環状の突出部４Ｃを備えている。この突出部４Ｃの上面は、縦壁４Ｂの高さよりも低くなっているが、必ずしもどの位置においても同一高さでなくてもよい。このようにするのは、図３に示した上蓋５の接合部５Ｃの下端と蓋体１の突出部４Ｃとを溶融させて一体化させる際に、上蓋５の外周縁５Ｇが図２に示した溝部４Ｍを覆うとともに、上蓋５の上面と蓋体１のフラット面１Ｆとがほぼ同じ平面上になるようにするためである。
【００１８】
また、図２に示すように、前記突出部４Ｃの内側の底壁４Ａに、前記複数（図では６個）のセル室からのガスをそれぞれ排気するための排気孔４Ｄ、４Ｄ１を備えている（詳細は後述するが、排気孔４Ｄ１は複数（図では５個）の排気孔４Ｄからのガスを集めて外部に導くためのものである）。なお、セル室は６個でなくてもよい。前記複数の排気孔４Ｄから排気されたガスは、上蓋５の接合部５Ｃの下端と蓋体１の突出部４Ｃとを溶融させて一体化させることで突出部４Ｃの内側に形成される空間に集められた後、排気孔４Ｄ１が設けられたセル内を経て、第２排気孔４Ｆを囲む突出部４Ｔと上蓋５の接合部５Ｔの下端とを溶融させて一体化させることで形成される案内経路８に移動し、外部に排出される。このため、前記底壁４Ａには、前記排気孔４Ｄ、４Ｄ１に向かうほど下方に位置する傾斜面に形成されており、排気孔４Ｄ、４Ｄ１から逸出してきた電解液を該当する排気孔４Ｄ、４Ｄ１側へ戻すことができる案内面として機能するようにし、さらに、突出部４Ｃの相対向位置から内側に延びて隣り合う各排気孔４Ｄの間に間隙を形成する延出部４Ｅ，４Ｅを備えて、排気孔４Ｄから排気されたガスのみが突起部４Ｃの内側に形成される空間内を自由に移動し、排気孔４Ｄ、４Ｄ１から逸出してきた電解液が隣接する他の排気孔側へ移動することを可及的に阻止することができるようにしている。なお、第２排気孔４Ｆから外部に排出される経路については、後述する。
【００１９】
図２に示すように、前記凹部４には、電槽に収納された極板群から延びる、電力を取り出すための極柱（図示せず）が挿入されて溶接される左右一対の筒状のブッシング６，７が埋設され、前記ブッシング６と前記端子２、及び前記ブッシング７と前記端子３とは、蓋体１の第２蓋部分１Ｂから第１蓋部分１Ａに至る部分に埋設された導通部（図示せず）によって連結されている。
【００２０】
前記蓋体１について詳述すれば、前記第２蓋部分１Ｂの端子側（前側）の一辺の長手方向２箇所からは、前記第２蓋部分１Ｂと同一高さの上面を有し、かつ、蓋体１の一辺側の端（前後方向前端）付近まで延出される一対の凸部１Ｃ，１Ｄが形成され、右側（端子３側）に位置する凸部１Ｄを左側（端子２側）に位置する凸部１Ｃより幅広（約２．５倍）にして、案内経路８が形成されるようにしている。そして、右側の凸部１Ｄは、左右方向に長い長方形の本体部Ｄ１と、この本体部Ｄ１の前端で左右中央位置に前側に突出する左右方向に長い長方形の前端部Ｄ２とを備え、本体部Ｄ１には、蓋体１の長辺方向と異なる方向（図では直交する方向）の２つの側壁面Ｄ１Ａ，Ｄ１Ｂを備え、一方（左側）の側壁面Ｄ１Ａに排気口４Ｋを形成している。従って、図２に「下」と示した側が下に、図２に「上」と示した側が上になるように鉛蓄電池を配置した状態、つまり蓋体１の長辺方向の側面が上面となるように鉛蓄電池を後方に倒した状態で配置した場合には、図２の矢印で示す方向、すなわち「上」から落下する塵などは凸部１Ｄの本体部Ｄ１と前端部Ｄ２の前面Ｄ２Ｃに当たるだけで、排気口４Ｋへ入り難くできる。
【００２１】
次に、第２排気孔４Ｆから外部に排出される経路について説明する。図２に示したように、前記第２排気孔４Ｆは、左から４番目の排気孔４Ｄ１を設けた底壁４Ａに設け、この排気孔４Ｄ１を設けたセル室（特定のセル室）に、他のセル室からのガスを当該排気孔４Ｄ１を介して集め、集めたガスを第２排気孔４Ｆから外部まで案内する案内経路８が前記溝部４Ｍを迂回させて形成されている。すなわち、前記案内経路８は、図３に示した上蓋５の下面に下方に突出しかつ環状に形成した接合部５Ｔとこれに合致するように前記底壁４Ａから突出させた図２に示した突出部４Ｔとが接合されることで形成される第１案内経路９（図４（ａ）参照）と、該第１案内経路９の一端から前記排気口４Ｋまでの間の前記溝部４Ｍを形成する突出部４Ｔ、底壁４Ａ及び縦壁４Ｂを一部利用して形成されるトンネル状の第２案内経路１０とから構成されている。なお、特定のセル室は上記した場所でなくてもよい。
【００２２】
上記のように、上蓋５の接合部５Ｔを蓋体１の突出部４Ｔに溶着又は接着により接合することによって、排気孔４Ｄから排気されたガスを特定のセル室側へ集めるための空間が形成されるとともに、突出部４Ｔと縦壁４Ｂとの間に形成される環状の溝部４Ｍが上蓋５の外周縁５Ｇ（図３参照）によって覆われるようにできる。そして、第２排気孔４Ｆから排出されたガスを排気口４Ｋまで案内する案内経路８が、溝部４Ｍと隔離して形成することができて、溝部４Ｍと案内経路８とが繋がっていないことから、上蓋５を装着した状態で、上蓋５の外周縁５Ｇと縦壁４Ｂとの隙間にノズルの先端を当接させて、ノズルからの加圧エアを溝部４Ｍにのみ加えることができる。これによって、案内経路８と溝部４Ｍを隔離する蓋体１の突出部４Ｔと、上蓋５の接合部５Ｔとの接合状態、及び底壁４Ａの環状の突出部４Ｔと上蓋５の接合部５Ｔとの接合状態の不良を加圧エアの圧力低下の有無で検出することができる。
【００２３】
前記案内経路８を詳述すれば、図４に示すように、第１案内経路９は、前記第２排気孔４Ｆからのガスを上方に移動させる上方案内部９Ａと、該上方案内部９Ａからのガスを水平方向に移動させる水平案内部９Ｂと、該水平案内部９Ｂからのガスを下方に移動させる下方案内部９Ｃとから形成され、該下方案内部９Ｃからのガスを前記第２案内経路１０に受け渡すようにしている。前記上方案内部９Ａは、第２排気孔４Ｆからのガスを上方の所定高さまで立ち上げる円筒状の第１上方案内部９ａと、この第１上方案内部９ａからのガスをさらに上方まで案内するべく、第１上方案内部９ａよりも大きな直径を有する円筒状の第２上方案内部９ｂとを備えている。また、前記水平案内部９Ｂは、蓋体１の左右幅方向一方側（図２では右側）へガスを移動させる左右方向案内部９ｃと、左右方向案内部９ｃの案内方向終端に案内されたガスを蓋体１の厚み方向（前記左右幅方向と直交する前後方向）一方側（図２では下側）へ移動させる前後方向案内部９ｄとを備えている。前記第２案内経路１０は、蓋成型金型にロッド（孔形成用の棒）を挿入することによって、該縦壁４Ｂに前記排気口４Ｋを形成するとともに該側壁面Ｄ１Ａから前記下方案内部９Ｃの左側の壁９Ｈまでの間にトンネル状の貫通孔を形成して、構成されている。
【００２４】
次に、図５、図６及び図７に、本発明の鉛蓄電池の第２の実施形態に係る蓋体１'の一例を示し、図５では、後述する上蓋５'を装着した状態を示し、図６では、後述する上蓋５'を装着する前の状態を示し、図６は後述する上蓋５'を示している。なお、前述した第１の実施形態に係る鉛蓄電池と共通する部分には同じ符号を付して説明は省略する。
【００２５】
この第２の実施形態に係る鉛蓄電池の特徴は、第２案内経路１０をトンネル状にしていないことである。すなわち、上蓋５' の下面に下方に突出しかつ環状に形成した接合部５Ｔとこれに合致するように前記底壁４Ａから突出させた図６に示した突出部４Ｔとが接合されることで形成される第１案内経路９の一端が前記排気口４Ｋに至るようにしている。
【００２６】
前記案内経路８を詳述すれば、図８に示すように、第１案内経路９は、前記第２排気孔４Ｆからのガスを上方に移動させる上方案内部９Ａと、該上方案内部９Ａからのガスを水平方向に移動させる水平案内部９Ｂとから形成され、該水平案内部９Ｂからのガスが前記排気口４Ｋから外部に排出されるようにしている。前記上方案内部９Ａが、円筒状の第１上方案内部９ａと第２上方案内部９ｂとを備え、前記水平案内部９Ｂが、左右方向案内部９ｃと前後方向案内部９ｄとを備えている点は第１の実施形態に係る鉛蓄電池と共通している。この第２の実施形態に係る鉛蓄電池では、第１の実施形態に係る鉛蓄電池のように、上蓋５'を装着した状態で、上蓋５'の外周縁５Ｇと縦壁４Ｂとの隙間にノズルの先端を当接させて、ノズルからの加圧エアを溝部４Ｍに加えることはできないため、案内経路８と溝部４Ｍを隔離する蓋体１'の突出部４Ｔと、上蓋５'の接合部５Ｔとの接合状態、及び底壁４Ａの環状の突出部４Ｔと上蓋５'の接合部５Ｔとの接合状態の不良を検出することはできないが、排気口４Ｋから加圧エアを第１案内経路９に加えることで、接合部５Ｔと突出部４Ｔとの接合状態の不良の有無の検出はできる。
【００２７】
前述した第１の実施形態及び第２の実施形態に係る鉛蓄電池は、いずれも排気口４Ｋの周囲には、図４及び図８に示すように、前記側壁面Ｄ１Ａから突出し、周方向で所定間隔を置いて配置される円弧状の３つの突起４Ｇ，４Ｈ，４Ｉが形成され、隣り合う突起４Ｇ，４Ｈ，４Ｉの間に３つの隙間（切欠き）４Ｌ，４Ｎ，４Ｐが形成され、これらの隙間（切欠き）４Ｌ，４Ｎ，４Ｐを通して排気口４Ｋからのガスを径方向からも排出可能となっている。なお、前記突起４Ｇ，４Ｈ，４Ｉのうち、図２及び図６に「上」と示した側に位置する突起４Ｇを半円弧状にし、他の突起４Ｈ，４Ｉを同一形状でほぼ同じ大きさの１／４円弧状にしているのは、蓋体１、１'の長辺方向の側面が上面となるように鉛蓄電池を後方に倒した傾倒状態で配置した状態では、図４及び図８の左下の拡大図（排気口４Ｋを正面から見た図）において、矢印方向（上方）から落下してくる塵などが突起４Ｇに当たることで、排気口４Ｋへの侵入を有効に阻止する庇部の作用をさせるためである。前記隙間４Ｌ，４Ｎ，４Ｐの数や幅については、自由に変更することができる。
【００２８】
また、図２及び図６にも示すように、前記排気口４Ｋを形成した凸部１Ｄの側壁面Ｄ１Ａを、蓋体１、１'の外周縁１Ｇよりも内方側に位置させてある。加えて、前端部Ｄ２の前面Ｄ２Ｃも外周縁１Ｇよりも内方側に位置させることによって、前端部Ｄ２の前面Ｄ２Ｃと外周縁１Ｇとの間にスペースＳを備えることができる。
【００２９】
上記したスペースＳを備えることで、たとえば、図９（ｄ）に示すように、排気口４Ｋが形成された凸部１Ｄの前面を覆うとともに排気口４Ｋ側（左側）に延びて庇部１６を前記スペースＳに備えさせることができる。この庇部１６は、凸部１Ｄの前面を覆うとともに排気口４Ｋ側（左側）に延びる縦板部１６Ａと、凸部１Ｄの上端面から排気口４Ｋ側（左側）に延びる水平板部１６Ｂとを備えている。従って、蓋体１の上面が上方を向くように縦向きで車両に搭載する場合は、従来と同様に排気口４Ｋを備えた側壁面Ｄ１Ａが上方に向いていないため、排気口４Ｋに塵などが入り難くすることができながらも、水平板部１６Ｂが排気口４Ｋの上方を覆うとともに縦板部１６Ａが排気口４Ｋの前方をも覆っていることから、さらに排気口４Ｋに塵などが入り難くすることができる。また、蓋体１の長辺方向の側面が上面となるように鉛蓄電池を後方に倒した傾倒状態で配置した場合でも、排気口４Ｋを備えた側壁面Ｄ１Ａが上下方向と直交する方向に形成されていることから、排気口４Ｋへ塵などが入り難くできながらも、縦板部１６Ａが排気口４Ｋの上方を覆うとともに水平板部１６Ｂが排気口４Ｋの後方を覆っていることから、さらに排気口４Ｋに塵などが入り難くすることができる。図９（ｄ）では、庇部１６を縦板部１６Ａと水平板部１６Ｂとから構成しているが、縦板部１６Ａのみで構成することもできる。なお、縦板部１６Ａと水平板部１６Ｂを蓋１'の成形時に一体形成する他、別体形成された庇部を蓋１'に溶着又は接着などにより取り付けてもよい。
【００３０】
前記上蓋５、５'は、合成樹脂で形成され、図３（ｂ）及び図７（ｂ）に示すように、前記突出部４Ｃに接合される該突出部４Ｃと略同一の外形状で略同一の大きさを有する接合部５Ｃと、該突出部４Ｃ及び前記縦壁４Ｂの間に形成される環状の溝部４Ｍを覆う外周縁５Ｇとを備え、前記上蓋５、５'の接合部５Ｃの下端と蓋体１、１'の突出部４Ｃの上端を溶融状態にした後、凹部４の突出部４Ｃと上蓋５、５'の接合部５Ｃとを合わせることによって、両者が溶融して一体化できるようになっている。前記第２排気孔４Ｆには、防爆、外部からのガスの逆流防止、及び内圧調整の目的で、多孔性フィルターや弁（図示せず）が備えられている。なお、前記接合部５Ｃには、前記突出部４Ｃの５箇所に備えた一対の延出部４Ｅ，４Ｅに対応する部分も備えており、これらも含めて接合部５Ｃとする。
【００３１】
前記蓋体１、１'及び上蓋５、5'の材料としては、ポリプロピレン樹脂等の熱可塑性樹脂が好ましいが、他の合成樹脂であってもよい。なお、前記蓋体１、１'に上蓋５、５'を熱溶着する場合には、両者の材料は同一であることが好ましい。
【００３２】
前記実施形態では、複数のセル室を備えた電槽について説明したが、１つのセル室を備えた電槽であってもよい。
【００３３】
また、前記実施形態では、凸部１Ｄの側壁面Ｄ１Ａを蓋体１の長手方向と直交させたが、例えば図９（ａ），（ｂ），（ｃ），（ｅ）に示すように凸部１Ｄの側壁面Ｄ１Ａを蓋体１の長手方向と交差するように、すなわち蓋体１の長手方向と平行にならないように備えさせてもよい。
【００３４】
図９（ａ）では、凸部１Ｄの側壁面Ｄ１Ａを蓋体１の外周縁１Ｇから離間する側（後方側）ほど外側に位置する傾斜面に構成している。そして、その傾斜した側壁面Ｄ１Ａに排気口４Ｋを形成している。
【００３５】
また、図９（ｂ）では、第２蓋部分１Ｂの前端面１Ｚを第２蓋部分１Ｂの一端（右端）から他端（左端）に向かうほど後方に位置する傾斜面に構成し、その傾斜面に排気口４Ｋを形成している。
【００３６】
また、図９（ｃ）では、第２蓋部分１Ｂの前端面の中央に、前方側ほど中心部に位置する左右の傾斜した側壁面Ｄ１Ａ，Ｄ１Ｂを有する台形状の凸部１Ｄを備えさせ、その左側の傾斜した側壁面Ｄ１Ａに排気口４Ｋを形成している。
【００３７】
また、図９（ｅ）では、２つの凸部１Ｃ，１Ｄそれぞれの向かい合う側壁面Ｄ１Ａ，Ｃ１Ａを上端から下方に向かうほど外側に位置する傾斜面に構成し、一方（右側）の傾斜面Ｄ１Ａに排気口４Ｋを形成している。
【００３８】
また、前記実施形態では、排気口４Ｋを端子２，３が設置される側（前方側）に備えさせたが、図９（ｆ），（ｇ）に示すように、端子２，３が設置される側（前方側）とは反対側（後方側）に排気口４Ｋを備えさせてもよい。図９（ｆ）では、蓋体１の後方側に左右一対の凸部１Ｃ，１Ｄを備え、一方（右側）の凸部１Ｄの左（内方側）端面Ｄ１Ａに排気口４Ｋを備えている。また、図９（ｇ）では、蓋体１の後方側に左角部のみ切り欠かれた凸部１Ｄを備えさせ、凸部１Ｄの左の側壁面Ｄ１Ａに排気口４Ｋを備えている。これら左の側壁面Ｄ１Ａは、蓋体１の長辺方向と直交していてもよいし、交差する方向に形成されていてもよい。
【００３９】
さらに、前記実施形態では、上蓋５、５'を長方形状のものから構成したが、正方形又は楕円形あるいは円形など、どのような形状であってもよい。
【００４０】
また、図２及び図６ではガスを特定のセル室に集め、該セル室から第２排気孔４Ｆを介して外部に導く案内経路８を設けているが、各セルからのガスを特定のセル室を介さずに案内経路８に導く構造のものでは、第２排気孔４Ｆを省略することができる。
【００４１】
また、前記実施形態の端子２，３には、樹脂巻き端子等、他の方式の端子を用いてもよい。
【符号の説明】
【００４２】
１、１'…蓋体、１Ａ…第１蓋部分、１Ｂ…第２蓋部分、１Ｃ，１Ｄ…凸部、１Ｆ…フラット面、１Ｇ…外周縁、１Ｗ…側面、１Ｙ…上面、１Ｚ…前端面、２，３…端子、４…凹部、４Ａ…底壁、４Ｂ…縦壁、４Ｃ，４Ｔ…突出部、４Ｄ、４Ｄ１…排気孔、４Ｅ…延出部、４Ｆ…第２排気孔、４Ｇ，４Ｈ，４Ｉ…突起、４Ｋ…排気口、４Ｌ，４Ｎ，４Ｐ…隙間、４Ｍ…溝部、５、５'…上蓋、５Ｃ，５Ｔ…接合部、５Ｇ…外周縁、６，７…ブッシング、８，９…案内経路、９Ａ…上方案内部、９Ｂ…水平案内部、９Ｃ…下方案内部、９ａ…上方案内部、９ｂ…上方案内部、９ｃ…左右方向案内部、９ｄ…前後方向案内部、９Ｈ…壁、１０…案内経路、１６…庇部、１６Ａ…縦板部、１６Ｂ…水平板部、Ｄ１Ａ、Ｄ１Ｂ…側壁面、Ｄ１…本体部、Ｄ２…前端部、Ｄ２Ｃ…前面、Ｓ…スペース
【図１】
0005472799.tif 000002
【図２】
0005472799.tif 000003
【図３】
0005472799.tif 000004
【図４】
0005472799.tif 000005
【図５】
0005472799.tif 000006
【図６】
0005472799.tif 000007
【図７】
0005472799.tif 000008
【図８】
0005472799.tif 000009
【図９】
0005472799.tif 000010
【図１０】
0005472799.tif 000011